(57)【特許請求の範囲】
【請求項１】
局回線終端装置に収容される信号処理基板であって、
印刷配線基板と、
前記印刷配線基板に通信ケーブルを接続するためのケーブルコネクタと、
を備え、
前記信号処理基板は、前記局回線終端装置の筐体の開口面から挿抜され、
前記ケーブルコネクタは、前記印刷配線基板の外周に沿った複数の辺のうち、前記信号処理基板を前記筐体内に収容した際に前記開口面に露出する第１の辺とは異なる第２の辺に配置されており、
前記信号処理基板は、
前記第１の辺を含む第１基板と、
前記第２の辺を含む第２基板と、
を有しており、
前記第１基板及び前記第２基板は、両基板間の基板接続部において、互いに接続及び分離が可能であり、
前記基板接続部は、
前記第１基板及び前記第２基板に電源を供給する電源基板と、
前記第１基板及び前記第２基板間で信号を送受するための信号接続部と、
を有する、信号処理基板。
【請求項２】
局回線終端装置に収容される信号処理基板であって、
印刷配線基板と、
前記印刷配線基板に通信ケーブルを接続するためのケーブルコネクタと、
を備え、
前記信号処理基板は、前記局回線終端装置の筐体の開口面から挿抜され、
前記ケーブルコネクタは、前記印刷配線基板の外周に沿った複数の辺のうち、前記信号処理基板を前記筐体内に収容した際に前記開口面に露出する第１の辺とは異なる第２の辺に配置されており、
前記筐体内には複数の前記信号処理基板が並んで収容され、
各前記信号処理基板の前記第２の辺には、隣り合う前記信号処理基板同士の隙間を塞ぐ金属板が固定されており、
前記ケーブルコネクタは、前記金属板に取り付けられている、信号処理基板。
【請求項３】
前記信号処理基板に電源を供給する電源基板を接続するための電源コネクタをさらに備え、
前記電源コネクタは前記第２の辺に配置されている、請求項２に記載の信号処理基板。
【請求項４】
前記信号処理基板に電源を供給する電源基板を接続するための電源コネクタをさらに備え、
前記電源コネクタは、前記印刷配線基板の外周に沿った複数の辺のうち、前記第１の辺及び前記第２の辺とは異なる第３の辺に配置されている、請求項２に記載の信号処理基板。
【請求項５】
筐体と、
前記筐体内に収容される信号処理基板と、
を備え、
前記信号処理基板は、
印刷配線基板と、
前記印刷配線基板に通信ケーブルを接続するためのケーブルコネクタと、
を有し、
前記信号処理基板は、前記筐体の第１の開口面から挿抜され、
前記ケーブルコネクタは、前記印刷配線基板の外周に沿った複数の辺のうち、前記信号処理基板を前記筐体内に収容した際に前記第１の開口面に露出する第１の辺とは異なる第２の辺に配置されており、
前記ケーブルコネクタは、前記筐体の第２の開口面に露出しており、
前記信号処理基板は、
前記第１の辺を含む第１基板と、
前記第２の辺を含む第２基板と、
を有しており、
前記第１基板及び前記第２基板は、両基板間の基板接続部において、互いに接続及び分離が可能であり、
前記基板接続部は、
前記第１基板及び前記第２基板に電源を供給する電源基板と、
前記第１基板及び前記第２基板間で信号を送受するための信号接続部と、
を有する、局回線終端装置。
【請求項６】
筐体と、
前記筐体内に収容される信号処理基板と、
を備え、
前記信号処理基板は、
印刷配線基板と、
前記印刷配線基板に通信ケーブルを接続するためのケーブルコネクタと、
を有し、
前記信号処理基板は、前記筐体の第１の開口面から挿抜され、
前記ケーブルコネクタは、前記印刷配線基板の外周に沿った複数の辺のうち、前記信号処理基板を前記筐体内に収容した際に前記第１の開口面に露出する第１の辺とは異なる第２の辺に配置されており、
前記ケーブルコネクタは、前記筐体の第２の開口面に露出しており、
前記筐体内には複数の前記信号処理基板が並んで収容され、
各前記信号処理基板の前記第２の辺には、隣り合う前記信号処理基板同士の隙間を塞ぐ金属板が固定されており、
前記ケーブルコネクタは、前記金属板に取り付けられている、局回線終端装置。
【発明の詳細な説明】
【技術分野】
【０００１】
本発明は、局回線終端装置及びそれに収容される信号処理基板に関し、特に、ＰＯＮ（Passive Optical Network）を用いた光通信システムにおけるＯＬＴ（Optical Line Terminal）及びそれに収容されるＯＬＴ基板に関する。
【背景技術】
【０００２】
例えば下記特許文献１には、複数の信号処理基板が筐体内に並んで収容される構成の局回線終端装置が開示されている。筐体の前面は開口面とされており、各信号処理基板は筐体の開口前面から筐体内に挿入される。各信号処理基板には、光ファイバやＬＡＮ（Local Area Network）ケーブル等の通信ケーブルが接続される。この種の信号処理基板においては一般的に、信号処理基板に通信ケーブルを接続するためのケーブルコネクタが、筐体の開口前面側に配置される。つまり、信号処理基板の外周に沿った複数の辺のうち、信号処理基板を筐体内に収容した際に開口前面に露出する辺（前辺）に、ケーブルコネクタが配置される。
【先行技術文献】
【特許文献】
【０００３】
【特許文献１】特開２００３−２２４８７１号公報
【発明の概要】
【発明が解決しようとする課題】
【０００４】
上記のとおり、信号処理基板のケーブルコネクタは筐体の開口前面側に配置されているため、筐体の前面側で通信ケーブルがケーブルコネクタに接続される。筐体内には複数の信号処理基板が並んで収容され、各信号処理基板に通信ケーブルがそれぞれ接続されるため、筐体の前面側には多数の通信ケーブルが表出する格好となる。
【０００５】
筐体に対する信号処理基板の挿抜は筐体の前面から行うため、筐体の前面側に多数の通信ケーブルが表出していると、保守等のために信号処理基板を筐体から抜き出す際に、その信号処理基板以外の基板に接続された通信ケーブルが作業の障害となることがある。
【０００６】
また、信号処理基板の動作状態等を報知するためにＬＥＤ（Light Emitting Diode）等を用いた表示部を信号処理基板の前辺に配置する場合には、筐体の前面側に表出している通信ケーブルが、表示部を視認する際の妨げになり易い。しかも、ケーブルコネクタ及び表示部の双方を信号処理基板の前辺に配置する必要上、表示部のサイズが制約を受けるため、作業者は表示部を視認し難くなる。
【０００７】
本発明はかかる事情に鑑みて成されたものであり、保守等の際の作業性が向上され、しかも、表示部の視認性が向上された、信号処理基板及び局回線終端装置を得ることを目的とするものである。
【課題を解決するための手段】
【０００８】
本発明の第１の態様に係る信号処理基板は、局回線終端装置に収容される信号処理基板であって、印刷配線基板と、前記印刷配線基板に通信ケーブルを接続するためのケーブルコネクタと、を備え、前記信号処理基板は、前記局回線終端装置の筐体の開口面から挿抜され、前記ケーブルコネクタは、前記印刷配線基板の外周に沿った複数の辺のうち、前記信号処理基板を前記筐体内に収容した際に前記開口面に露出する第１の辺とは異なる第２の辺に配置されていることを特徴とするものである。
【０００９】
第１の態様に係る信号処理基板によれば、ケーブルコネクタは、印刷配線基板の外周に沿った複数の辺のうち、信号処理基板を筐体内に収容した際に開口面に露出する第１の辺とは異なる第２の辺に配置されている。信号処理基板は局回線終端装置の筐体の開口面から挿抜されるため、開口面に露出する第１の辺とは異なる第２の辺にケーブルコネクタを配置することにより、信号処理基板を挿抜する側の面に通信ケーブルは存在しない。その結果、保守等のために信号処理基板を筐体から抜き出す際に通信ケーブルが作業の障害となる事態を回避できるため、作業性を向上することが可能となる。
【００１０】
また、信号処理基板の動作状態等を報知するためにＬＥＤ等を用いた表示部を第１の辺に配置する場合であっても、通信ケーブルが表示部を視認する際の妨げになる事態を回避できる。しかも、ケーブルコネクタと表示部とは印刷配線基板の異なる辺に配置されるため、ケーブルコネクタの存在によって表示部のサイズが制約を受けることはない。その結果、表示部の視認性を向上することが可能となる。
【００１１】
本発明の第２の態様に係る信号処理基板は、第１の態様に係る信号処理基板において特に、前記信号処理基板は、前記第１の辺を含む第１基板と、前記第２の辺を含む第２基板と、を有しており、前記第１基板及び前記第２基板は、両基板間の基板接続部において、互いに接続及び分離が可能であることを特徴とするものである。
【００１２】
第２の態様に係る信号処理基板によれば、第１基板及び第２基板は、両基板間の基板接続部において、互いに接続及び分離が可能である。従って、第２基板に配置されているケーブルコネクタに通信ケーブルを接続したままの状態で、第１基板のみを筐体に対して挿抜することができる。その結果、信号処理基板（第１基板）を挿抜する度に通信ケーブルを脱着する必要がないため、作業性を向上することが可能となる。
【００１３】
本発明の第３の態様に係る信号処理基板は、第２の態様に係る信号処理基板において特に、前記基板接続部は、前記第１基板及び前記第２基板に電源を供給する電源基板と、前記第１基板及び前記第２基板間で信号を送受するための信号接続部と、を有することを特徴とするものである。
【００１４】
第３の態様に係る信号処理基板によれば、基板接続部は電源基板と信号接続部とを有する。従って、第１基板及び第２基板が基板接続部を介して互いに接続された状態では、電源基板から第１基板及び第２基板に電源が適切に供給され、また、第１基板及び第２基板間での信号の送受が信号接続部によって適切に実行されるため、信号処理基板を支障なく動作させることが可能となる。
【００１５】
本発明の第４の態様に係る信号処理基板は、第１の態様に係る信号処理基板において特に、前記信号処理基板に電源を供給する電源基板を接続するための電源コネクタをさらに備え、前記電源コネクタは前記第２の辺に配置されていることを特徴とするものである。
【００１６】
第４の態様に係る信号処理基板によれば、ケーブルコネクタ及び電源コネクタはいずれも印刷配線基板の第２の辺に配置されている。従って、筐体の背面側の辺を第２の辺として筐体の背面側にケーブルコネクタ及び電源コネクタを集約することにより、筐体の前面側の第１の辺に表示部が配置され、背面側の第２の辺にケーブルコネクタ及び電源コネクタが配置されるという、シンプルな構成とすることが可能となる。
【００１７】
本発明の第５の態様に係る信号処理基板は、第１の態様に係る信号処理基板において特に、前記信号処理基板に電源を供給する電源基板を接続するための電源コネクタをさらに備え、前記電源コネクタは、前記印刷配線基板の外周に沿った複数の辺のうち、前記第１の辺及び前記第２の辺とは異なる第３の辺に配置されていることを特徴とするものである。
【００１８】
第５の態様に係る信号処理基板によれば、ケーブルコネクタは印刷配線基板の第２の辺に配置されており、電源コネクタは第２の辺とは異なる第３の辺に配置されている。従って、熱源及びノイズ発生源となる電源基板からケーブルコネクタを遠ざけることができるため、信号処理基板の性能及び信頼性を向上することが可能となる。
【００１９】
本発明の第６の態様に係る信号処理基板は、第１〜第５のいずれか一つの態様に係る信号処理基板において特に、前記筐体内には複数の前記信号処理基板が並んで収容され、各前記信号処理基板の前記第２の辺には、隣り合う前記信号処理基板同士の隙間を塞ぐ金属板が固定されており、前記ケーブルコネクタは、前記金属板に取り付けられていることを特徴とするものである。
【００２０】
第６の態様に係る信号処理基板によれば、各信号処理基板の第２の辺には、隣り合う信号処理基板同士の隙間を塞ぐ金属板が固定されている。その結果、筐体からの電磁波の漏洩を、隙間無く並ぶ金属板によって防止することが可能となる。
【００２１】
本発明の第７の態様に係る局回線終端装置は、筐体と、前記筐体内に収容される信号処理基板と、を備え、前記信号処理基板は、印刷配線基板と、前記印刷配線基板に通信ケーブルを接続するためのケーブルコネクタと、を有し、前記信号処理基板は、前記筐体の第１の開口面から挿抜され、前記ケーブルコネクタは、前記印刷配線基板の外周に沿った複数の辺のうち、前記信号処理基板を前記筐体内に収容した際に前記第１の開口面に露出する第１の辺とは異なる第２の辺に配置されており、前記ケーブルコネクタは、前記筐体の第２の開口面に露出することを特徴とするものである。
【００２２】
第７の態様に係る局回線終端装置によれば、ケーブルコネクタは、印刷配線基板の外周に沿った複数の辺のうち、信号処理基板を筐体内に収容した際に開口面に露出する第１の辺とは異なる第２の辺に配置されている。信号処理基板は局回線終端装置の筐体の開口面から挿抜されるため、開口面に露出する第１の辺とは異なる第２の辺にケーブルコネクタを配置することにより、信号処理基板を挿抜する側の面に通信ケーブルは存在しない。その結果、保守等のために信号処理基板を筐体から抜き出す際に通信ケーブルが作業の障害となる事態を回避できるため、作業性を向上することが可能となる。
【００２３】
また、信号処理基板の動作状態等を報知するためにＬＥＤ等を用いた表示部を第１の辺に配置する場合であっても、通信ケーブルが表示部を視認する際の妨げになる事態を回避できる。しかも、ケーブルコネクタと表示部とは印刷配線基板の異なる辺に配置されるため、ケーブルコネクタの存在によって表示部のサイズが制約を受けることはない。その結果、表示部の視認性を向上することが可能となる。
【発明の効果】
【００２４】
本発明によれば、保守等の際の作業性が向上され、しかも、表示部の視認性が向上された、信号処理基板及び局回線終端装置を得ることが可能となる。
【図面の簡単な説明】
【００２５】
【図１】本発明の実施の形態に係るＯＬＴの全体構成を模式的に示す正面図である。
【図２】本発明の実施の形態に係るＯＬＴの全体構成を模式的に示す背面図である。
【図３】本発明の実施の形態に係るＯＬＴの全体構成を模式的に示す側面図である。
【図４】信号処理基板の構成を模式的に示す斜視図である。
【図５】信号処理基板の構成を模式的に示す斜視図である。
【図６】信号処理基板の構成を模式的に示す側面図である。
【図７】第１の変形例に係る信号処理基板の構成を模式的に示す側面図である。
【図８】第１の変形例に係る信号処理基板の構成を模式的に示す側面図である。
【図９】第２の変形例に係る信号処理基板の構成を模式的に示す側面図である。
【発明を実施するための形態】
【００２６】
以下、本発明の実施の形態について、図面を用いて詳細に説明する。なお、異なる図面において同一の符号を付した要素は、同一又は相応する要素を示すものとする。
【００２７】
図１、図２、及び図３はそれぞれ、本発明の実施の形態に係るＯＬＴ（Optical Line Terminal）１の全体構成を模式的に示す正面図、背面図、及び側面図である。ＯＬＴ１は、ＰＯＮ（Passive Optical Network）を用いた光通信システムにおいて、通信事業者の局舎内に設置される局回線終端装置である。ＯＬＴ１は、光ファイバ及び光スプリッタを介して、ユーザ宅内の加入者収容装置であるＯＮＵ（Optical Network Unit）に接続される。
【００２８】
図１〜３に示すように、ＯＬＴ１は、筐体２、制御基板３、複数の信号処理基板４、及び電源基板６を備えて構成されている。信号処理基板４は、「ＯＬＴ基板」、「回線カード」、又は「加入者回線カード」とも称されており、電気信号−光信号の相互変換や信号の多重化等の信号処理を行う。
【００２９】
図１に示すように、筐体２は、前面が開口している。つまり、筐体２には、その前面に第１の開口面が形成されている。また、図２に示すように、筐体２は、背面の略下半分が開口している。つまり、筐体２には、その背面に第２の開口面が形成されている。
【００３０】
筐体２の内部には、制御基板３及び複数の信号処理基板４が収容されている。制御基板３及び複数の信号処理基板４は、筐体２の前面から所定の案内レールに沿って筐体２の内部に挿入される。また、保守等の際には、制御基板３及び複数の信号処理基板４は、筐体２の前面から筐体２の外部に抜き出される。
【００３１】
図１に示すように、信号処理基板４の表示板１２は、筐体２の前面の第１の開口面に露出している。表示板１２には、ＬＥＤ（Light Emitting Diode）等の複数の発光素子５が取り付けられている。各発光素子５の点灯又は消灯によって、正常運用状態であるか否か、テスト実行中であるか否か、電源供給状態であるか否か、異常を検出したか否か、通信が正常であるか否か、等の情報が報知される。
【００３２】
図２に示すように、信号処理基板４のコネクタ取付板１４は、筐体２の背面の第２の開口面に露出している。コネクタ取付板１４には、複数のケーブルコネクタ７が取り付けられている。図３に示すように、ケーブルコネクタ７には、光ファイバやＬＡＮ（Local Area Network）ケーブル等の通信ケーブル８が接続される。
【００３３】
図２，３に示すように、筐体２の背面の略上半分には、電源基板６が固定されている。電源基板６は、制御基板３及び信号処理基板４に対して駆動用の電源を供給する。
【００３４】
図４及び図５は、信号処理基板４の構成を模式的に示す斜視図である。図４は、信号処理基板４を斜め前方から眺めており、図５は、信号処理基板４を斜め後方から眺めている。また、図６は、信号処理基板４の構成を模式的に示す側面図である。図４〜６に示すように、信号処理基板４は、印刷配線基板１１、表示板１２、電源コネクタ１３、及びコネクタ取付板１４を備えて構成されている。なお、図４〜６においては、印刷配線基板１１に形成されている配線パターンや、印刷配線基板１１上に実装されている半導体素子等の図示は省略している。
【００３５】
図６に示すように、印刷配線基板１１は、辺２１〜２４を有する長方形の外形を有している。前面側の辺２１（第１の辺）には、全長に亘って表示板１２が固定されている。図１に示したように、複数の信号処理基板４が筐体２内に並んで収容されることにより、隣り合う信号処理基板４同士の隙間は表示板１２によって塞がれている。また、背面側の辺２３（第２の辺）には、上部に電源コネクタ１３が固定されており、下部にコネクタ取付板１４が固定されている。電源コネクタ１３は、電源基板６のコネクタ（図示しない）に接続される。図２に示したように、複数の信号処理基板４が筐体２内に並んで収容されることにより、隣り合う信号処理基板４同士の隙間はコネクタ取付板１４によって塞がれている。
【００３６】
＜第１の変形例＞
図７及び図８は、第１の変形例に係る信号処理基板４Ａの構成を模式的に示す側面図である。信号処理基板４Ａの印刷配線基板１１は、前面側の印刷配線基板１１１（第１基板）と、背面側の印刷配線基板１１２（第２基板）とに分かれている。図７には印刷配線基板１１１，１１２が分離された状態を示しており、図８には印刷配線基板１１１，１１２が接続された状態を示している。信号処理基板４Ａを構成する複数の回路をどのように印刷配線基板１１１，１１２に振り分けるかは任意であるが、例えば、電源回路を印刷配線基板１１２に振り分け、その他の回路を印刷配線基板１１１に振り分けることができる。
【００３７】
印刷配線基板１１１に関し、前面側の辺２１には全長に亘って表示板１２が固定されており、背面側の上部の辺３１には電源コネクタ４１が固定されており、背面側の下部の辺３２にはコネクタ４２が固定されている。印刷配線基板１１２に関し、背面側の辺２３には全長に亘ってコネクタ取付板１４が固定されており、前面側の辺３３には、上部に電源コネクタ４１が固定されており、下部にコネクタ４４が固定されている。
【００３８】
図８に示すように、電源基板６は、印刷配線基板１１１と印刷配線基板１１２との間に接続される。つまり、印刷配線基板１１１は電源コネクタ４１によって電源基板６の前面側に接続され、印刷配線基板１１２は電源コネクタ４３によって電源基板６の背面側に接続される。これにより、電源基板６から印刷配線基板１１１，１１２に対して駆動用の電源が供給される。
【００３９】
また、コネクタ４２とコネクタ４４とが互いに接続されることにより、印刷配線基板１１１と印刷配線基板１１２との間で電気信号及び光信号の送受が行われる。つまり、コネクタ４２，４４は、印刷配線基板１１１，１１２間で信号を送受するための信号接続部として機能する。
【００４０】
＜第２の変形例＞
図９は、第２の変形例に係る信号処理基板４Ｂの構成を模式的に示す側面図である。印刷配線基板１１の前面側の辺２１には全長に亘って表示板１２が固定されており、背面側の辺２３には全長に亘ってコネクタ取付板１４が固定されており、底面側の辺２２（第３の辺）には電源コネクタ１３が固定されている。本変形例において、電源基板６は筐体２の底面に固定されており、印刷配線基板１１は電源コネクタ１３を介して電源基板６に接続される。
【００４１】
＜まとめ＞
本実施の形態に係る信号処理基板４によれば、図６に示したように、ケーブルコネクタ７は、印刷配線基板１１の外周に沿った複数の辺２１〜２４のうち、信号処理基板４を筐体２内に収容した際に前面の第１の開口面に露出する辺２１とは異なる辺２３に配置されている。信号処理基板４はＯＬＴ１の筐体２の第１の開口面から挿抜されるため、第１の開口面に露出する辺２１とは異なる辺２３にケーブルコネクタ７を配置することにより、信号処理基板４を挿抜する側の面に通信ケーブル８は存在しない。その結果、保守等のために信号処理基板４を筐体２から抜き出す際に通信ケーブル８が作業の障害となる事態を回避できるため、作業性を向上することが可能となる。
【００４２】
また、信号処理基板４の動作状態等を報知するためにＬＥＤ等を用いた表示板１２を辺２１に配置する場合であっても、通信ケーブル８が表示板１２を視認する際の妨げになる事態を回避できる。しかも、ケーブルコネクタ７と表示板１２とは印刷配線基板１１の異なる辺に配置されるため、ケーブルコネクタ７の存在によって表示板１２のサイズが制約を受けることはない。その結果、表示板１２の視認性を向上することが可能となる。
【００４３】
また、第１の変形例に係る信号処理基板４Ａによれば、図７，８に示したように、印刷配線基板１１１及び印刷配線基板１１２は、両基板間の基板接続部において、互いに接続及び分離が可能である。従って、印刷配線基板１１２に配置されているケーブルコネクタ７に通信ケーブル８を接続したままの状態で、印刷配線基板１１１のみを筐体２に対して挿抜することができる。その結果、印刷配線基板１１２を挿抜する度に通信ケーブル８を脱着する必要がないため、作業性を向上することが可能となる。
【００４４】
また、第１の変形例に係る信号処理基板４Ａによれば、図７，８に示したように、基板接続部は電源基板６とコネクタ４２，４４とを有する。従って、印刷配線基板１１１，１１２が基板接続部を介して互いに接続された状態では、電源基板６から印刷配線基板１１１，１１２に電源が適切に供給され、また、印刷配線基板１１１，１１２間での信号の送受がコネクタ４２，４４によって適切に実行されるため、信号処理基板４Ａを支障なく動作させることが可能となる。
【００４５】
また、本実施の形態に係る信号処理基板４によれば、図６に示したように、ケーブルコネクタ７及び電源コネクタ１３はいずれも印刷配線基板１１の辺２３に配置されている。従って、筐体２の背面側の辺２３にケーブルコネクタ７及び電源コネクタ１３を集約することにより、筐体２の前面側の辺２１に表示板１２が配置され、背面側の辺２３にケーブルコネクタ７及び電源コネクタ１３が配置されるという、シンプルな構成とすることが可能となる。
【００４６】
また、第２の変形例に係る信号処理基板４Ｂによれば、図９に示したように、ケーブルコネクタ７は印刷配線基板１１の辺２３に配置されており、電源コネクタ１３は辺２３とは異なる辺２２に配置されている。従って、熱源及びノイズ発生源となる電源基板６からケーブルコネクタ７を遠ざけることができるため、信号処理基板１１の性能及び信頼性を向上することが可能となる。
【００４７】
また、本実施の形態に係る信号処理基板４によれば、図２，６に示したように、信号処理基板４の辺２３には、隣り合う信号処理基板４同士の隙間を塞ぐコネクタ取付板１４が固定されている。その結果、筐体２からの電磁波の漏洩を、隙間無く並ぶ金属製のコネクタ取付板１４によって防止することが可能となる。
【００４８】
なお、今回開示された実施の形態はすべての点で例示であって制限的なものではないと考えられるべきである。本発明の範囲は、上記した意味ではなく、特許請求の範囲によって示され、特許請求の範囲と均等の意味及び範囲内での全ての変更が含まれることが意図される。
【符号の説明】
【００４９】
１  ＯＬＴ
２  筐体
４，４Ａ，４Ｂ  信号処理基板
６  電源基板
７  ケーブルコネクタ
８  通信ケーブル
１１，１１１，１１２  印刷配線基板
１３，４１，４３  電源コネクタ
１４  コネクタ取付板
２１〜２４  辺
４２，４４  コネクタ
【図１】
0005617101.tif 000002
【図２】
0005617101.tif 000003
【図３】
0005617101.tif 000004
【図４】
0005617101.tif 000005
【図５】
0005617101.tif 000006
【図６】
0005617101.tif 000007
【図７】
0005617101.tif 000008
【図８】
0005617101.tif 000009
【図９】
0005617101.tif 000010